(57)【特許請求の範囲】
【請求項１】
容器本体の口筒部に装着され、注出筒を設けた内キャップと、容器本体に装着され、容器内を密封する外キャップを具えた容器において、
外キャップは、頂壁と、頂壁外縁に垂設され、下端内周が容器本体の肩部外周に係合する外周壁とを具え、
頂壁側には、注出筒と係合し、容器内を密封する密封筒が設けられ、
外キャップの頂壁が、中央部の可動壁と、可動壁外縁に連設され、変形可能な変形壁と、変形壁外縁に連設され、外縁に外周壁が垂設される周辺部とから形成され、可動壁の下面に密封筒が垂設され、
外キャップの外周壁と容器本体の肩部外周との係合が完全に解除された後に、密封筒と注出筒との係合が解除されるように、頂壁側の密封筒が上下動可能に形成されていることを特徴とする容器のキャップ。
【請求項２】
変形壁が、薄肉かつ蛇腹状に形成されていることを特徴とする請求項１記載の容器のキャップ。
【請求項３】
容器が、横断面形状が辺部と角部とからなる略四角形に形成され、
容器本体の肩部の外周に係合凹部が凹設され、
外キャップの外周壁の辺部の下端内面の中央に、係合凹部に係合する係合突部が配設されていることを特徴とする請求項１または２記載の容器のキャップ。
【発明の詳細な説明】
【技術分野】
【０００１】
本発明は、キャップ、とくに容器本体に装着される外キャップに関するものである。
【背景技術】
【０００２】
液体調味料などを収納する容器本体と、容器本体の口筒部に装着し、注出筒を設けた内キャップと、容器本体に装着するとともに、注出筒と係合し、容器内を密封する外キャップとからなる容器において、外キャップを廻動させることで、外キャップを上昇させて、開蓋する容器は、従来より知られている（例えば、特許文献１参照）。
【０００３】
また、容器の横断面形状を四辺形として、外キャップの廻動の初期の段階で、外キャップが上昇し、開蓋する容器は、従来より知られている（例えば、特許文献２参照）。
【先行技術文献】
【特許文献】
【０００４】
【特許文献１】特開２００５−４１５０６号公報
【特許文献２】特開２００６−２６４７１１号公報
【発明の概要】
【発明が解決しようとする課題】
【０００５】
しかしながら、上記特許文献１記載の容器では、外キャップを廻動させるために、容器本体と外キャップを把持するため、容器本体を掴んだ手の力により、容器内が加圧され、外キャップと注出筒との係合が外れると同時に、容器内の内容物が注出筒から外に噴き出し、外キャップの内方および注出筒の周りを汚してしまうという問題が生じることがあった。
【０００６】
特に、上記特許文献２記載の容器では、外キャップを廻動させるために、容器本体と外キャップを把持する力が一番大きくなる初期の段階で、外キャップが上昇し、外キャップと注出筒との係合が外れてしまうので、上記の問題が生じ易かった。
【０００７】
本発明は、上記の問題を解決することを課題とし、容器本体と外キャップを把持し、外キャップを廻動させて開蓋する際の初期の段階で、外キャップが上昇しても、外キャップの密封筒と容器の注出筒との係合が外れることなく、容器内を密封して、容器内の内容物が注出筒から外に噴き出すことを防止するとともに、簡単に開蓋できる容器を提供することを目的とする。
【課題を解決するための手段】
【０００８】
本発明は、上記の課題を解決するため、容器のキャップとして、容器本体の口筒部に装着され、注出筒を設けた内キャップと、容器本体に装着され、容器内を密封する外キャップを具えた容器において、外キャップは、頂壁と、頂壁外縁に垂設され、下端内周が容器本体の肩部外周に係合する外周壁とを具え、頂壁側には、注出筒と係合し、容器内を密封する密封筒が設けられ、外キャップの頂壁が、中央部の可動壁と、可動壁外縁に連設され、変形可能な変形壁と、変形壁外縁に連設され、外縁に外周壁が垂設される周辺部とから形成され、可動壁の下面に密封筒が垂設され、外キャップの外周壁と容器本体の肩部外周との係合が完全に解除された後に、密封筒と注出筒との係合が解除されるように、頂壁側の密封筒が上下動可能に形成されていることを特徴とする構成を採用する。
【０００９】
外キャップの変形壁の実施例として、変形壁が、薄肉かつ蛇腹状に形成されていることを特徴とする構成を採用する。
【００１１】
容器の実施例として、容器が、横断面形状が辺部と角部とからなる略四角形に形成され、容器本体の肩部の外周に係合凹部が凹設され、外キャップの外周壁の辺部の下端内面の中央に、係合凹部に係合する係合突部が配設されていることを特徴とする構成を採用する。
【発明の効果】
【００１２】
本発明は、容器本体の口筒部に装着され、注出筒を設けた内キャップと、容器内を密封する外キャップを具えた容器において、外キャップの頂壁に、注出筒と係合し、容器内を密封する密封筒が設けられ、外キャップの頂壁が、中央部の可動壁と、可動壁外縁に連設され、変形可能な変形壁と、変形壁外縁に連設され、外縁に外周壁が垂設される周辺部とから形成され、可動壁の下面に密封筒が垂設され、外キャップの外周壁と容器本体の肩部外周との係合が完全に解除された後に、密封筒と注出筒との係合が解除されるように、密封筒を上下動可能にしたことによって、容器本体を把持し、外キャップを開蓋する際の廻動の初期の段階で、外キャップが上昇しても、密封筒と容器の注出筒との係合が外れることなく、容器内を密封して、容器内の内容物が注出筒から外に噴き出すことを防止することが容易にできるようになった。
【図面の簡単な説明】
【００１３】
【図１】第１実施例の容器の断面立面図である。
【図２】容器本体と内キャップの説明図で、（ａ）は上面図、（ｂ）は断面立面図である。
【図３】外キャップの説明図で、（ａ）は断面立面図、（ｂ）は下面図である。
【図４】外キャップ上昇時の容器の断面立面図である。
【図５】参考例の容器の断面立面図である。
【図６】参考例における外キャップ上昇時の容器の断面立面図である。
【発明を実施するための最良の形態】
【００１４】
次に、本発明の容器について、実施例をあげ、図面を参照して説明する。
【実施例１】
【００１５】
図１において、Ａは容器本体、Ｂは容器本体Ａの口筒部に装着される内キャップ、Ｃは容器内を密封する外キャップである。
【００１６】
容器本体Ａは、図１、２に示すように、口筒部１と、口筒部１の下端に連設され、横断面が角部を円弧とした略四角形に形成される肩部２と胴部３とを具えており、口筒部１には、上部外周に、係合突条４が設けられている。
【００１７】
肩部２は、口筒部１の下端から略四角形を形成するように傾斜して延びる傾斜肩壁５と、傾斜肩壁５下端から垂設されるとともに、内方に係合凹部６を凹設した係合壁７と、係合壁７の下端外周に連設され、胴部３の上端に接続する段部８とを具えている。
係合壁７には、四辺の辺部７ａと角部７ｂとが形成されている。
【００１８】
内キャップＢは、容器本体Ａの口筒部１に装着される中栓Ｂ１と、中栓Ｂ１と係合して開閉蓋するキャップＢ２とからなっており、中栓Ｂ１とキャップＢ２とは、ヒンジＢ３を介して連設されている。
【００１９】
中栓Ｂ１は、内筒１０と、内筒１０の下端内周に連設される底壁１１と、内筒１０の上端外周に連設される上壁１２と、上壁１２の外縁下面に垂設される外筒１３と、上壁１２上面に配設される係止筒１４とを具えている。
外筒１３の内周下部には、容器本体Ａの口筒部１の係合突条４と係合する係合部１５が設けられている。
【００２０】
底壁１１には、注出口を形成する除去部１６を区画する切断溝１７が刻設されており、除去部１６上面の所定位置には、支柱を介してプルリング１８が連設されている。
【００２１】
キャップＢ２は、中央部に注出筒２０を立設した上壁２１と、上壁２１下面に垂設され、外周が中栓Ｂ１の係止筒１４の内周に係合する内筒２２と、上壁２１外縁に垂設され、内周が係止筒１４の外周に係合する係合筒２３とを具えている。
【００２２】
外キャップＣは、図１、３に示すように、頂壁２５と、頂壁２５外縁に垂設され、下端内周が容器本体Ａの肩部２の係合壁７外周に係合する外周壁２６とを具えており、横断面形状は略四角形に形成されている。
【００２３】
頂壁２５は、中央部の可動壁２７と、可動壁２７外縁に連設され、変形可能な薄肉かつ蛇腹状の変形壁２８と、変形壁２８外縁に連設され、外縁に外周壁２６が垂設される周辺部２９が形成されている。
【００２４】
可動壁２７の下面中央部には、外周がキャップＢ２の注出筒２０の内周に係合する密封筒３０が垂設されている。
【００２５】
外周壁２６には、四辺の辺部２６ａと角部２６ｂとが形成され、それぞれの辺部２６ａの下端内面の中央には、容器本体Ａの係合壁７のそれぞれの辺部７ａの係合凹部６中央部に係合する係合突部３１が配設されている。
【００２６】
次に、本実施例の容器の使用態様と作用効果について説明する。
本実施例の容器の組立は、キャップＢ２を中栓Ｂ１に閉蓋した内キャップＢを、容器本体Ａの口筒部１に装着した後、容器本体Ａに外キャップＣを装着して閉蓋する。
【００２７】
外キャップＣを容器本体Ａに閉蓋する際には、図１に示すように、互いの辺部および角部の位置を合わせながら、容器本体Ａの上方から外キャップＣを被せ、容器本体Ａの肩部２の段部８上面と外キャップＣの外周壁２６の下端面を当接させて閉蓋する。
その際、容器本体Ａの肩部２の係合壁７のそれぞれの辺部７ａの係合凹部６の中央部に、外キャップＣの外周壁２６のそれぞれの辺部２６ａの係合突部３１が係合し、外キャップＣが容器本体Ａから外れることを防止する。
【００２８】
また、外キャップＣの頂壁２５の密封筒３０が、キャップＢ２の注出筒２０内周に挿入され、内キャップＢ内を密封する。
【００２９】
次に、キャップの有する作用について説明する。
外キャップＣを容器本体Ａから開蓋する際には、まず、容器本体Ａおよび外キャップＣを把持して廻動させる。
外キャップＣを廻動させると、外キャップＣの外周壁２６の辺部２６ａの係合突部３１と、容器本体Ａの肩部２の係合壁７の辺部７ａの係合凹部６の中央部との係合が外れるとともに、辺部２６ａの内周面が係合壁７の角部７ｂの外周面に当接することによって、外周壁２６を下方部から変形させる。
【００３０】
外周壁２６が下方部から変形させられることによって、外周壁２６の復元力によって、図４に示すように、外キャップＣがクリック感とともに上昇する。
【００３１】
外キャップＣが上昇すると、頂壁２５の周辺部２９も上昇するが、可動壁２７の密封筒３０と内キャップＢのキャップＢ２の注出筒２０とが係合しているので、可動壁２７は上昇せず、周辺部２９と可動壁２７を連結する変形壁２８を変形させながら、可動壁２７を残して外キャップＣが上昇する。
【００３２】
外キャップＣが上昇した後、容器本体Ａの把持を弱め、外キャップＣを持ち上げ、外キャップＣを容器本体Ａから外す。
その際、外キャップＣを持ち上げ力に、外キャップＣの頂壁２５の変形壁２８の復元力が加わり、可動壁２７を持ち上げ、簡単に、可動壁２７の密封筒３０とキャップＢ２の注出筒２０との係合が外され、外キャップＣを外すことができる。
【００３３】
容器の使用開始にあたっては、容器本体Ａから外キャップＣを外し、開蓋した後、内キャップＢの中栓Ｂ１の上部からキャップＢ２を開蓋し、中栓Ｂ１のプルリング１８に手指などを掛けて上方に引張り、除去部１６を切断溝１７を介して底壁１１から抜栓し、注出口を形成させる。
【００３４】
内容液の注出にあたっては、容器を傾け、キャップＢ２の注出筒２０より注出する。
また、キャップＢ２を中栓Ｂ１から外し、中栓Ｂ１の内筒１０および係止筒１４の内周を通じて注出することもできる。
【００３５】
抜栓後には、中栓Ｂ１にキャップＢ２を被嵌し、その上から、外キャップＣを装着し、閉蓋する。
その際、外キャップＣの密封筒３０がキャップＢ２の注出筒２０の内周に挿入され、容器内を密封する。
【００３６】
抜栓後、外キャップＣを開蓋する際には、まず、容器本体Ａおよび外キャップＣを把持して廻動させ、外キャップＣをクリック感とともに上昇させる。
その際、本実施例の容器では、外キャップＣの頂壁２５が変形することにより、外キャップＣの密封筒３０と内キャップＢのキャップＢ２の注出筒２０との係合が外れず、容器内の密封を維持しているので、容器本体Ａを掴んだ手の力により、容器内が加圧されていても、液が注出筒２０から外に噴き出すことを防止することができる。
【００３７】
さらに、外キャップＣが上昇した後、容器本体Ａの把持を弱めて容器内の加圧を解除するとともに、外キャップＣを持ち上げることにより、簡単に、外キャップＣの密封筒３０とキャップＢ２の注出筒２０との係合を外し、外キャップＣを外すことができる。
【実施例２】
【００３８】
次に、第１実施例の容器の外キャップの構成を変えた参考例について、説明する。
本実施例の第１実施例と同一の構成部分には、同一の符号を付して図示し、詳しい説明を省略し、相違点を中心に説明する。
【００３９】
図５において、Ａは容器本体、Ｂは容器本体Ａの口筒部に装着される内キャップ、Ｃａは容器内を密封する外キャップである。
【００４０】
外キャップＣａは、頂壁３５と、頂壁３５外縁に垂設され、下端内周が容器本体Ａの肩部２の係合壁７外周に係合する外周壁２６とを具えており、横断面形状は略四角形に形成されている。
【００４１】
頂壁３５には、中央下面に係合筒３６が垂設され、係合筒３６の内方には、密封部材３７が上下動可能に装着されている。
【００４２】
係合筒３６の下端内周には、係合突部３８が突設されている。
【００４３】
密封部材３７は、係合筒３６の係合突部３８内周で上下動する可動筒３９と、可動筒３９の下端内周に連設される底壁４０と、底壁４０の下面に垂設され、外周がキャップＢ２の注出筒２０の内周に係合する密封筒４１とを具えている。
【００４４】
可動筒３９の上端部外周には、外周下部が係合筒３６の係合突部３８の内周上部と係合して、密封部材３７が頂壁３５から外れないようにする係合突部４２が突設されている。
【００４５】
次に、本実施例の容器の作用効果について説明する。
本実施例の外キャップＣａの組立は、密封部材３７の可動筒３９を、頂壁３５の係合筒３６内に挿入し、可動筒３９の係合突部４２が係合筒３６の係合突部３８を乗り越えさせることで、密封部材３７が係合筒３６内で上下動可能であるとともに、下方に外れることを防止して装着される。
【００４６】
外キャップＣａを容器本体Ａに閉蓋する際には、互いの辺部および角部の位置を合わせながら、容器本体Ａの上方から外キャップＣａを被せて、閉蓋する。
その際、外キャップＣａの頂壁３５の密封部材３７の密封筒４１が、キャップＢ２の注出筒２０内周に挿入され、内キャップＢ内を密封する。
【００４７】
また、注出筒２０の上端面が密封部材３７の底壁４０の下面に当接し、密封部材３７を係合筒３６内で上昇させる。
【００４８】
外キャップＣａを容器から開蓋する際には、まず、容器本体Ａおよび外キャップＣａを把持して、外キャップＣａを廻動させ、外キャップＣａを変形させることにより、図６に示すように、外キャップＣａを上昇させる。
【００４９】
その際、外キャップＣａの頂壁３５が上昇するが、密封部材３７の密封筒４１が、キャップＢ２の注出筒２０内周に係合しているので、密封部材３７が下方に引っ張られ、密封部材３７を係合筒３６内で下降させ、密封部材３７を残して外キャップＣａが上昇する。
【００５０】
参考例の容器では、密封部材３７を残して外キャップＣａが上昇することにより、密封部材３７の密封筒４１と内キャップＢのキャップＢ１の注出筒２０との係合が保たれ、容器内の密封を維持しているので、容器本体Ａを掴んだ手の力により、容器内が加圧されていても、液が注出筒２０から外に噴き出すことを防止することができる。
【００５１】
外キャップＣａを上昇させた後、容器本体Ａの把持を弱め、外キャップＣａを持ち上げ、外キャップＣａを容器本体Ａから外す。
その際、外キャップＣａの密封部材３７の可動筒３９の係合突部４２の外周下部と、係合筒３６の係合突部３８の内周上部が係合して、密封部材３７を外キャップＣａとともに持ち上げ、簡単に、密封筒４１とキャップＢ２の注出筒２０との係合を外し、外キャップＣａを外すことができる。
その他の作用効果は、実施例１と同じである。
【００５２】
上記実施例および参考例では、容器の横断面形状を略四角形に形成し、外キャップを容器から開蓋する際に、容器本体および外キャップを把持して廻動させ、外キャップを変形させることにより、外キャップをクリック感とともに上昇させて開蓋しているが、本発明の容器は、外キャップと容器本体とを把持して開蓋する際の容器本体の把持に一番力が入る廻動の初期の段階に、外キャップの頂壁側の密封筒が当該頂壁に対して上下動して容器内の密封を維持して、内容物が外に飛び出さないようにすることができるので、例えば、容器の横断面形状を円形に形成し、外キャップを容器に螺合により装着されているものでもよい。
【００５３】
また、外キャップを廻動させて開蓋させるものでなく、例えば、外キャップを上に引っ張ることで開蓋させるアンダーカット嵌合等の装着方法のものでも、容器本体の把持に一番力が入る開蓋の初期の段階に、外キャップの頂壁の一部が変形して容器内の密封を維持して、内容物が外に飛び出さないようすることができるので、容器の形状および装着の構成は、上記各実施例の形状に限定されない。
【００５４】
上記実施例および参考例では、内キャップＢを、中栓Ｂ１と、中栓Ｂ１に装着され、注出筒２０を設けたキャップＢ２としたが、外キャップと係合して注出筒を開閉することができれば、注出筒を設けた中栓Ｂ１のみの構成でもよく、内キャップの構成は、上記実施例および参考例の構成に限定されない。
また、容器本体の口筒部を注出筒として、外キャップと係合して容器本体内を密封することができるものであれば、内キャップ自体がなくてもよい。
【産業上の利用可能性】
【００５５】
本発明は、外キャップと容器本体とを把持して開蓋する際の、容器本体の把持に一番力が入る廻動の初期の段階に、外キャップが上昇しても、密封筒と容器の注出筒との係合が外れることなく、容器内の密封を維持することができ、内容物が外に飛び出すことを防止することができる。
また、外キャップと容器本体とを把持して開蓋する構成の容器であれば、容器の形状、内容液の如何にかかわらず、どのような容器にも使用可能である。
【符号の説明】
【００５６】
Ａ            容器本体
Ｂ            内キャップ
Ｂ１          中栓
Ｂ２          キャップ
Ｂ３          ヒンジ
Ｃ、Ｃａ      外キャップ
１            口筒部
２            肩部
３            胴部
４            係合突条
５            傾斜肩壁
６            係合凹部
７            係合壁
７ａ、２６ａ  辺部
７ｂ、２６ｂ  角部
８            段部
１０、２２    内筒
１１、４０    底壁
１２、２１    上壁
１３          外筒
１４          係止筒
１５          係合部
１６          除去部
１７          切断溝
１８          プルリング
２０          注出筒
２３、３６    係合筒
２５、３５    頂壁
２６          外周壁
２７          可動壁
２８          変形壁
２９          周辺部
３０、４１    密封筒
３１、３８、４２  係合突部
３７          密封部材
３９          可動筒
【図１】
0005686564.tif 000002
【図２】
0005686564.tif 000003
【図３】
0005686564.tif 000004
【図４】
0005686564.tif 000005
【図５】
0005686564.tif 000006
【図６】
0005686564.tif 000007